(57)【要約】【課題】再生性能の劣化を防止しながら不要輻射を低減することができる光ピックアップを提供する。【解決手段】ＤＶＤ用ＬＤ８と、ＤＶＤ用ＬＤ８を駆動させるための直流駆動電流を生成するＤＶＤ用ＬＤＤ１と、ＢＤ用ＬＤ１０と、ＢＤ用ＬＤ１０を駆動させるための直流駆動電流を生成するＢＤ用ＬＤＤ３と、前記直流駆動電流に重畳するための高周波重畳信号を生成する高周波重畳信号生成回路４と、不要輻射抑制部１３と、ＤＶＤ用ＬＤ８及び不要輻射抑制部１３のいずれか一方を選択してＤＶＤ用ＬＤＤ１の出力端と接続するスイッチ１１とを備え、高周波重畳信号生成回路４とＤＶＤ用ＬＤＤ１とが５Ｖ電源供給ラインＬＮ１を介して互いに繋がっており、ＢＤ用ＬＤ１０が発光しているときに、スイッチ１１が不要輻射抑制部１３を選択する光ピックアップ。【選択図】図２
2011108296.tif 000002
【特許請求の範囲】
【請求項１】
第１の光ディスクに照射するための光を出射する第１の光源と、
前記第１の光源を駆動させるための直流駆動電流を生成する第１のドライバと、
第２の光ディスクに照射するための光を出射する第２の光源と、
前記第２の光源を駆動させるための直流駆動電流を生成する第２のドライバと、
前記直流駆動電流に重畳するための高周波重畳信号を生成する高周波重畳信号生成回路と、
第１の不要輻射抑制部と、
前記第１の光源及び前記第１の不要輻射抑制部のいずれか一方を選択して前記第１のドライバの出力端と接続する第１のスイッチとを備え、
前記高周波重畳信号生成回路と前記第１のドライバとが電源供給ラインを介して互いに繋がっており、
前記２の光源が発光しているときに、前記第１のスイッチが前記第１の不要輻射抑制部を選択することを特徴とする光ピックアップ。
【請求項２】
第３の光ディスクに照射するための光を出射する第３の光源と、
前記第３の光源を駆動させるための直流駆動電流を生成する第３のドライバと、
第２の不要輻射抑制部と、
前記第３の光源及び前記第３の不要輻射抑制部のいずれか一方を選択して前記第３のドライバの出力端と接続する第２のスイッチとを備え、
前記高周波重畳信号生成回路と前記第３のドライバとが前記電源供給ラインを介して互いに繋がっており、
前記２の光源が発光しているときに、前記第２のスイッチが前記第２の不要輻射抑制部を選択する請求項１に記載の光ピックアップ
【請求項３】
前記第１の不要輻射抑制部と前記第２の不要輻射抑制部とが共通化されている請求項２に記載の光ピックアップ
【請求項４】
前記第１のドライバ、前記第２のドライバ、前記第３のドライバ、前記高周波重畳信号生成回路、前記第１のスイッチ、及び前記第２のスイッチが単一の集積回路パッケージに格納され、
前記第１のスイッチ及び前記第２のスイッチが前記単一の集積回路パッケージに設けられる共通の不要輻射対策端子を介して、前記共通化されている不要輻射抑制部に接続される請求項３に記載の光ピックアップ。
【請求項５】
請求項１〜４のいずれか１項に記載の光ピックアップを備えることを特徴とする光ディスク装置。
【発明の詳細な説明】
【技術分野】
【０００１】
本発明は、光ディスクに向かって光を出射し、当該光ディスクからの反射光を検出する光ピックアップ及びそれを備えた光ディスク装置に関する。
【背景技術】
【０００２】
光ピックアップの読み取りエラーを低減させる手法として、高周波重畳法が従来から知られている。高周波重畳法では、直流駆動電流に高周波信号を重畳してレーザダイオード（以下、ＬＤともいう）に供給することにより、ＬＤを擬似的にマルチモードで動作させる。この擬似的なマルチモード動作によって、光ピックアップの再生信号に悪影響を及ぼすおそれがある戻り光ノイズ（光ディスクからの反射光により発生する光ノイズ）が低減し、読み取りエラーが低減する。
【０００３】
高周波重畳法が用いられている従来の光ピックアップの要部構成例を図５に示す。図５に示す従来の光ピックアップは、ＤＶＤ（Digital Versatile Disc）／ＣＤ（Compact Disc）／ＢＤ（Blu-ray Disc：登録商標）に対応しており、ＬＤドライバ（以下、ＬＤＤともいう）ＩＣパッケージ１００と、ＤＶＤ用の光源であって波長６５０ｎｍの赤色レーザ光を出射するＬＤ（以下、ＤＶＤ用ＬＤともいう）８と、ＣＤ用の光源であって波長７８０ｎｍの赤外レーザ光を出射するＬＤ（以下、ＣＤ用ＬＤともいう）９と、ＢＤ用の光源であって波長４０５ｎｍの青色レーザ光を出射するＬＤ（以下、ＢＤ用ＬＤともいう）１０とを備えている。なお、５Ｖ電源回路６及び８Ｖ電源回路７は、図５に示す従来の光ピックアップを構成するものではない。
【０００４】
ＬＤＤＩＣパッケージ１００は、ＤＶＤ用ＬＤＤ１と、ＣＤ用ＬＤＤ２と、ＢＤ用ＬＤＤ３と、高周波重畳信号生成回路４と、スイッチ５と、ＤＶＤ用出力端子Ｔ１と、ＣＤ用出力端子Ｔ２と、ＢＤ用出力端子Ｔ３と、５Ｖ電源端子Ｔ４と、８Ｖ電源端子Ｔ５とを備えている。
【０００５】
スイッチ５は、高周波重畳信号生成回路４から出力される高周波重畳信号を、ＤＶＤ用ＬＤＤ１、ＣＤ用ＬＤＤ２、ＢＤ用ＬＤＤ３のいずれか一つに供給する。
【０００６】
ＤＶＤ用ＬＤＤ１は、ＤＶＤ用ＬＤ８を駆動させるための直流駆動電流を生成し、当該直流駆動電流に高周波重畳信号を重畳してＤＶＤ用出力端子Ｔ１に出力する。ＣＤ用ＬＤＤ２は、ＣＤ用ＬＤ９を駆動させるための直流駆動電流を生成し、当該直流駆動電流に高周波重畳信号を重畳してＣＤ用出力端子Ｔ２に出力する。ＢＤ用ＬＤＤ３は、ＢＤ用ＬＤ１０を駆動させるための直流駆動電流を生成し、当該直流駆動電流に高周波重畳信号を重畳してＢＤ用出力端子Ｔ３に出力する。
【０００７】
５Ｖ電源回路６から出力される直流５Ｖ電圧は、５Ｖ電源端子Ｔ４に印加され、ＤＶＤ用ＬＤＤ１、ＣＤ用ＬＤＤ２、高周波重畳信号生成回路４それぞれに電源電圧として供給される。また、８Ｖ電源回路７から出力される直流８Ｖ電圧は、８Ｖ電源端子Ｔ５に印加され、ＢＤ用ＬＤＤ３に電源電圧として供給される。
【先行技術文献】
【特許文献】
【０００８】
【特許文献１】特開２００８−５２８５６号公報（要約）
【特許文献２】特開２００６−１２１９９号公報（要約）
【特許文献３】特開２００５−２５９２８５号公報（段落００２３）
【発明の概要】
【発明が解決しようとする課題】
【０００９】
上述した図５に示す従来の光ピックアップでは、ＢＤ用ＬＤ１０を発光させるとき、スイッチ５が高周波重畳信号生成回路４から出力される高周波重畳信号をＢＤ用ＬＤＤ３に供給する。しかしながら、このときに高周波重畳信号に起因するノイズ（高調波ノイズ等）が５Ｖ電源供給ラインＬＮ１並びにＤＶＤ用ＬＤＤ１及ＣＤ用ＬＤＤ２を通ってＤＶＤ用出力端子Ｔ１及びＣＤ用出力端子Ｔ２から漏れ出し、その結果、不要輻射が増加するという問題がある。
【００１０】
なお、特許文献１では、高周波重畳法を採用している光ピックアップ用高周波重畳モジュールにおいて、レーザダイオードと高周波重畳信号（直流駆動電流に重畳する高周波信号）を生成する発振回路との間にインピーダンス整合回路を設け、前記インピーダンス整合回路が前記レーザダイオードと前記発振回路との間に直列に接続したインダクタを含む構成にすることによって不要輻射を低減する技術が開示されているが、当該技術では前記インダクタが前記レーザダイオードと前記発振回路との間に直列に接続されるので、前記インダクタが前記レーザダイオードに供給される高周波重畳信号に影響を与えてしまい、再生性能が劣化してしまうという問題を有している。
【００１１】
また、特許文献２では、高周波重畳法を採用している光ディスクドライブ装置において、高周波重畳信号（直流駆動電流に重畳する高周波信号）にジッターを与えることによってスペクトラムを拡散し、不要輻射ノイズのピーク値を下げる技術が開示されているが、当該技術は高周波重畳信号にジッターを与えているので、前記ジッターがレーザダイオードに供給される高周波重畳信号に影響を与えてしまい、再生性能が劣化してしまうという問題を有している。
【００１２】
また、特許文献３では、複数のレーザダイオード各々をそれぞれ駆動するレーザドライバ機能を備えた単一のレーザドライバを用いる光学ヘッド装置における不要輻射低減技術が開示されているが、複数のレーザドライバを備える光ディスク装置における不要輻射低減技術については何ら開示されていない。
【００１３】
本発明は、上記の状況に鑑み、再生性能の劣化を防止しながら不要輻射を低減することができる光ピックアップ及びそれを備えた光ディスク装置を提供することを目的とする。
【課題を解決するための手段】
【００１４】
上記目的を達成するために本発明に係る光ピックアップにおいては、第１の光ディスクに照射するための光を出射する第１の光源と、前記第１の光源を駆動させるための直流駆動電流を生成する第１のドライバと、第２の光ディスクに照射するための光を出射する第２の光源と、前記第２の光源を駆動させるための直流駆動電流を生成する第２のドライバと、前記直流駆動電流に重畳するための高周波重畳信号を生成する高周波重畳信号生成回路と、第１の不要輻射抑制部と、前記第１の光源及び前記第１の不要輻射抑制部のいずれか一方を選択して前記第１のドライバの出力端と接続する第１のスイッチとを備え、前記高周波重畳信号生成回路と前記第１のドライバとが電源供給ラインを介して互いに繋がっており、前記２の光源が発光しているときに、前記第１のスイッチが前記第１の不要輻射抑制部を選択する構成とする。
【００１５】
さらに、第３の光ディスクに照射するための光を出射する第３の光源と、前記第３の光源を駆動させるための直流駆動電流を生成する第３のドライバと、第２の不要輻射抑制部と、前記第３の光源及び前記第３の不要輻射抑制部のいずれか一方を選択して前記第３のドライバの出力端と接続する第２のスイッチとを備え、前記高周波重畳信号生成回路と前記第３のドライバとが前記電源供給ラインを介して互いに繋がっており、前記２の光源が発光しているときに、前記第２のスイッチが前記第２の不要輻射抑制部を選択するようにしてもよい。
【００１６】
さらに、前記第１の不要輻射抑制部と前記第２の不要輻射抑制部とが共通化されてもよい。
【００１７】
さらに、前記第１のドライバ、前記第２のドライバ、前記第３のドライバ、前記高周波重畳信号生成回路、前記第１のスイッチ、及び前記第２のスイッチが単一の集積回路パッケージに格納され、前記第１のスイッチ及び前記第２のスイッチが前記単一の集積回路パッケージに設けられる共通の不要輻射対策端子を介して、前記共通化されている不要輻射抑制部に接続されるようにしてもよい。
【００１８】
上記目的を達成するために本発明に係る光ディスク装置においては、上記いずれかの構成の光ピックアップを備えるようにする。
【発明の効果】
【００１９】
本発明によると、光ピックアップが、第１の光ディスクに照射するための光を出射する第１の光源と、前記第１の光源を駆動させるための直流駆動電流を生成する第１のドライバと、第２の光ディスクに照射するための光を出射する第２の光源と、前記第２の光源を駆動させるための直流駆動電流を生成する第２のドライバと、前記直流駆動電流に重畳するための高周波重畳信号を生成する高周波重畳信号生成回路と、第１の不要輻射抑制部と、前記第１の光源及び前記第１の不要輻射抑制部のいずれか一方を選択して前記第１のドライバの出力端と接続する第１のスイッチとを備え、前記高周波重畳信号生成回路と前記第１のドライバとが電源供給ラインを介して互いに繋がっており、前記２の光源が発光しているときに、前記第１のスイッチが前記第１の不要輻射抑制部を選択する構成となる。
【００２０】
これにより、高周波重畳信号に起因するノイズ（高調波ノイズ等）が前記電源供給ライン及び前記第１のドライバを通って前記第１の光源側に漏れ出すことを防止することができる。
【００２１】
また、これにより、前記電源供給ライン及び前記第１のドライバを通って前記第１の不要輻射抑制部側に漏れ出した高周波重畳信号に起因するノイズ（高調波ノイズ等）が前記第１の不要輻射抑制部によって除去又は低減されるので、不要輻射を抑えることができる。
【００２２】
また、前記第１のドライバの出力端から前記第１のスイッチを経由して前記第１の光源に至る経路に、前記第１の不要輻射抑制部が設けられていないので、前記第１の光ディスクを再生する際に再生性能が劣化することを防止することができる。
【図面の簡単な説明】
【００２３】
【図１】本発明に係る光ディスク再生装置の概略構成例を示す図である。
【図２】図１に示す本発明に係る光ディスク再生装置が備える光ピックアップの概略構成例を示す図である。
【図３】図１に示す本発明に係る光ディスク再生装置が備える光ピックアップの他の概略構成例を示す図である。
【図４】図１に示す本発明に係る光ディスク再生装置が備える光ピックアップの更に他の概略構成例を示す図である。
【図５】高周波重畳法が用いられている従来の光ピックアップの要部構成例を示す図である。
【発明を実施するための形態】
【００２４】
本発明の実施形態について図面を参照して以下に説明する。ここでは、本発明に係る光ディスク装置として光ディスク再生装置を例に挙げて説明を行う。
【００２５】
＜＜本発明に係る光ディスク装置の一例＞＞
本発明に係る光ディスク再生装置の概略構成例を図１に示す。図１に示す本発明に係る光ディスク再生装置は、光ピックアップ２１と、ＲＦアンプ２２と、ＤＳＰ（Digital Signal Processor）２３と、再生処理回路２４と、出力回路２５と、ＣＰＵ（Central Processing Unit）２６と、ドライバ２７と、表示部２８と、操作部２９と、送りモータ３０と、スピンドルモータ３１とを備えている。
【００２６】
光ピックアップ２１は、光ディスク（ＣＤ、ＤＶＤ、又はＢＤ）３２に光ビームを照射して、光ディスク３２に記録された音声情報、映像情報等の各種情報の読み取りを行う。なお、光ピックアップ２１の詳細については後述する。
【００２７】
光ピックアップ２１により得られた音声情報及び映像情報は、ＲＦアンプ２２、ＤＳＰ２３、再生処理回路２４、及び出力回路２５の信号処理により音声及び映像に変換され、それぞれ不図示のスピーカ及びモニタから出力される。ＲＦアンプ２２は、光ピックアップ２１からの音声信号や映像信号等を増幅する。ＤＳＰ２３及び再生処理回路２４は、ＲＦアンプ２２から出力された信号に対して、再生のための各種情報処理（例えば映像処理等）を施す。出力回路２５は、再生処理回路２４から出力された信号を、不図示のスピーカ及びモニタに出力するためにＤ／Ａ変換処理等を行う。
【００２８】
ＣＰＵ２６及びドライバ２７は、光ピックアップ２１の動作と送りモータ３０及びスピンドルモータ３１からなる駆動部の動作を制御する。ＣＰＵ２６は、操作部２９からの情報を受け付けてＤＳＰ２３に伝送するとともに、ＤＳＰ２３からの情報を表示部２８に伝送する。また、ドライバ２７は、ＤＳＰ２３からの指示に基づいて、光ピックアップ２１の動作と上記駆動部の動作を制御する。
【００２９】
送りモータ３０は、ＤＳＰ２３の指示に基づいて動作するドライバ２７によって駆動される。送りモータ３０の駆動によって光ピックアップ２１は光ディスク３２の径方向及び厚み方向に移動する。スピンドルモータ３１は、ＤＳＰ２３の指示に基づいて動作するドライバ２７によって駆動される。スピンドルモータ３１の駆動によって光ディスク３２が回転する。
【００３０】
さらに、ドライバ２７は、ＤＰＳ２３の指示に基づいてピックアップ２１内の対物レンズ（不図示）のフォーカス制御も行う。
【００３１】
なお、図１では電源系の図示を省略しているが、図１に示す本発明に係る光ディスク再生装置は、５Ｖ電源回路６（図２参照）や８Ｖ電源回路７（図２参照）も備えている。
【００３２】
＜＜本発明に係る光ピックアップの一例＞＞
次に、光ピックアップ２１の要部構成例を図２に示す。なお、図２において図５と同一の部分には同一の符号を付し、その詳細な説明については適宜省略する。
【００３３】
図２に示す例では、光ピックアップ２１は、ＬＤＤＩＣパッケージ１０１と、ＤＶＤ用ＬＤ８と、ＣＤ用ＬＤ９と、ＢＤ用ＬＤ１０と、不要輻射抑制部１３及び１４とを備えている。なお、５Ｖ電源回路６及び８Ｖ電源回路７は、光ピックアップ２１を構成するものではない。
【００３４】
ＬＤＤＩＣパッケージ１０１は、図５に示す従来の光ピックアップに設けられていたＬＤＤＩＣパッケージ１００に、スイッチ１１及び１２と不要輻射対策端子Ｔ６及びＴ７とを追加した構成である。不要輻射対策端子Ｔ６は不要輻射抑制部１３に接続され、不要輻射対策端子Ｔ７は不要輻射抑制部１４に接続される。スイッチ１１は、ＤＶＤ用出力端子Ｔ１及び不要輻射対策端子Ｔ６のいずれか一方を選択してＤＶＤ用ＬＤＤ１の出力端と接続するスイッチである。スイッチ１２は、ＣＤ用出力端子Ｔ２及び不要輻射対策端子Ｔ７のいずれか一方を選択してＣＤ用ＬＤＤ２の出力端と接続するスイッチである。
【００３５】
通常、光ディスク３２の種類の判別結果を示すディスク判別信号がＤＳＰ２３から光ピックアップ２１内のＬＤＤＩＣパッケージやＰＤＩＣ（Photo Diode ＩＣ）パッケージに送出されているので、例えば、スイッチ１１及び１２の制御信号として、当該ディスク判別信号そのもの又は当該ディスク判別信号に基づく信号を流用することができる。
【００３６】
ＢＤ用ＬＤ１０を発光させるとき、スイッチ５が高周波重畳信号生成回路４から出力される高周波重畳信号をＢＤ用ＬＤＤ３に供給し、スイッチ１１が不要輻射対策端子Ｔ６の方を選択し、スイッチ１２が不要輻射対策端子Ｔ７の方を選択する。これにより、高周波重畳信号に起因するノイズ（高調波ノイズ等）が５Ｖ電源供給ラインＬＮ１並びにＤＶＤ用ＬＤＤ１及ＣＤ用ＬＤＤ２を通ってＤＶＤ用出力端子Ｔ１及びＣＤ用出力端子Ｔ２から漏れ出すことを防止することができる。また、これにより、５Ｖ電源供給ラインＬＮ１及びＤＶＤ用ＬＤＤ１を通って不要輻射対策端子Ｔ６から漏れ出した高周波重畳信号に起因するノイズ（高調波ノイズ等）が不要輻射抑制部１３によって除去又は低減され、５Ｖ電源供給ラインＬＮ１及びＣＤ用ＬＤＤ２を通って不要輻射対策端子Ｔ７から漏れ出した高周波重畳信号に起因するノイズ（高調波ノイズ等）が不要輻射抑制部１４によって除去又は低減されるので、不要輻射を抑えることができる。
【００３７】
そして、ＤＶＤ出力ライン（ＤＶＤ用出力端子Ｔ１−ＤＶＤ用ＬＤ８間のライン）やＣＤ出力ライン（ＣＤ用出力端子Ｔ２−ＣＤ用ＬＤ９間のライン）に不要輻射抑制部が設けられていないので、ＤＶＤやＣＤの再生性能が劣化することを防止することができる。
【００３８】
不要輻射抑制部１３及び１４としては、例えば、コンデンサ、ビーズ、抵抗などを用いることができる。ノイズの周波数等を勘案して、不要輻射抑制部１３及び１４の各回路定数を設定するとよい。図２に示す例では、不要輻射抑制部１３及び１４がＬＤＤＩＣパッケージ１０１に外付けされているので、不要輻射抑制部１３及び１４の各回路定数の設定変更が容易である。
【００３９】
ＤＶＤ用ＬＤ８を発光させるとき、スイッチ５が高周波重畳信号生成回路４から出力される高周波重畳信号をＤＶＤ用ＬＤＤ１に供給し、スイッチ１１がＤＶＤ用出力端子Ｔ１の方を選択し、スイッチ１２が不要輻射対策端子Ｔ７の方を選択する。これにより、高周波重畳信号に起因するノイズ（高調波ノイズ等）が５Ｖ電源供給ラインＬＮ１及びＣＤ用ＬＤＤ２を通ってＣＤ用出力端子Ｔ２から漏れ出すことを防止することができる。また、これにより、５Ｖ電源供給ラインＬＮ１及びＣＤ用ＬＤＤ２を通って不要輻射対策端子Ｔ７から漏れ出した高周波重畳信号に起因するノイズ（高調波ノイズ等）が不要輻射抑制部１４によって除去又は低減されるので、不要輻射を抑えることができる。
【００４０】
なお、ＤＶＤ用ＬＤ８を発光させるとき、高周波重畳信号を重畳しないようにしてもよい。この場合には、スイッチ１１及び１２がともに不要輻射対策端子を選択しないようにし、スイッチ１１及び１２の個別制御を不要にするとよい。
【００４１】
ＣＤ用ＬＤ９を発光させるとき、スイッチ５が高周波重畳信号生成回路４から出力される高周波重畳信号をＣＤ用ＬＤＤ２に供給し、スイッチ１１が不要輻射対策端子Ｔ６の方を選択し、スイッチ１２がＣＤ用出力端子Ｔ２の方を選択する。これにより、高周波重畳信号に起因するノイズ（高調波ノイズ等）が５Ｖ電源供給ラインＬＮ１及びＤＶＤ用ＬＤＤ１を通ってＤＶＤ用出力端子Ｔ１から漏れ出すことを防止することができる。また、これにより、５Ｖ電源供給ラインＬＮ１及びＤＶＤ用ＬＤＤ１を通って不要輻射対策端子Ｔ６から漏れ出した高周波重畳信号に起因するノイズ（高調波ノイズ等）が不要輻射抑制部１３によって除去又は低減されるので、不要輻射を抑えることができる。
【００４２】
なお、ＣＤ用ＬＤ９を発光させるとき、高周波重畳信号を重畳しないようにしてもよい。この場合には、スイッチ１１及び１２がともに不要輻射対策端子を選択しないようにし、スイッチ１１及び１２の個別制御を不要にするとよい。
【００４３】
＜＜本発明に係る光ピックアップの他の例＞＞
図２に示す例において、不要輻射抑制部１３の回路定数と不要輻射抑制部１４の回路定数を同一に設定することができる場合には、不要輻射抑制部１３と不要輻射抑制部１４とを共通化して、図３に示す構成にすることが望ましい。不要輻射抑制部１３と不要輻射抑制部１４とを共通化することにより、部品点数を削減することができる。
【００４４】
＜＜本発明に係る光ピックアップの更に他の例＞＞
図２に示す例において、不要輻射抑制部１３の回路定数と不要輻射抑制部１４の回路定数を同一に設定することができ、且つ、ＤＶＤ用ＬＤ８を発光させるときにスイッチ１２がＣＤ用出力端子Ｔ２の方を選択し、ＣＤ用ＬＤ９を発光させるときにスイッチ１１がＤＶＤ用出力端子Ｔ１の方を選択する場合には、不要輻射抑制部１３と不要輻射抑制部１４とを共通化し、且つ、不要輻射対策端子Ｔ６と不要輻射対策端子Ｔ７とを共通化し、図４に示す構成にすることが望ましい。不要輻射抑制部１３と不要輻射抑制部１４とを共通化することにより、部品点数を削減することができる。また、不要輻射対策端子Ｔ６と不要輻射対策端子Ｔ７とを共通化することで、ＬＤＤＩＣパッケージの端子数を削減することができる。
【００４５】
＜＜その他＞＞
以上、本発明に係る実施形態について説明したが、本発明の範囲はこれに限定されるものではなく、発明の主旨を逸脱しない範囲で種々の変更を加えて実行することができる。
【００４６】
上述した実施形態では本発明に係る光ディスク装置として光ディスク再生装置を例に挙げて説明を行ったが、その他の光ディスク装置（例えば光ディスク記録再生装置）においおいても本発明を適用することができる。
【００４７】
上述した実施形態でのＤＶＤ用ＬＤＤ１、ＣＤ用ＬＤＤ２、高周波重畳信号生成回路４の電源である直流５Ｖ電源やＢＤ用ＬＤＤ３の電源である直流８Ｖ電源はあくまで例示であって、５Ｖや８Ｖ以外の電圧値であっても構わない。
【００４８】
また、上述した実施形態では不要輻射抑制部がＬＤＤＩＣパッケージに外付けされているが、不要輻射抑制部をＬＤＤＩＣパッケージに内蔵するようにしてもよい。不要輻射抑制部をＬＤＤＩＣパッケージに内蔵した場合、不要輻射抑制部の回路定数の設定変更を行うためにはＬＤＤＩＣパッケージ自体を設計変更しなければならなくなるが、光ピックアップの組み立て工程を従来通りにできるという利点がある。
【符号の説明】
【００４９】
１  ＤＶＤ用ＬＤＤ（第１のドライバの一例）
２  ＣＤ用ＬＤＤ（第３のドライバの一例）
３  ＢＤ用ＬＤＤ（第２のドライバの一例）
４  高周波重畳信号生成回路
５  スイッチ
６  ５Ｖ電源回路
７  ８Ｖ電源回路
８  ＤＶＤ用ＬＤ（第１の光源の一例）
９  ＣＤ用ＬＤ（第３の光源の一例）
１０  ＢＤ用ＬＤ（第２の光源の一例）
１１  スイッチ（第１のスイッチの一例）
１２  スイッチ（第２のスイッチの一例）
１３  不要輻射抑制部（第１の不要輻射抑制部の一例）
１４  不要輻射抑制部（第２の不要輻射抑制部の一例）
２１  光ピックアップ
２２  ＲＦアンプ
２３  ＤＳＰ
２４  再生処理回路
２５  出力回路
２６  ＣＰＵ
２７  ドライバ
２８  表示部
２９  操作部
３０  送りモータ
３１  スピンドルモータ
３２  光ディスク
１００、１０１  ＬＤＤＩＣパッケージ
ＬＮ１  ５Ｖ電源供給ライン
Ｔ１  ＤＶＤ用出力端子
Ｔ２  ＣＤ用出力端子
Ｔ３  ＢＤ用出力端子
Ｔ４  ５Ｖ電源端子
Ｔ５  ８Ｖ電源端子
Ｔ６、Ｔ７  不要輻射対策端子
【図１】
2011108296.tif 000003
【図２】
2011108296.tif 000004
【図３】
2011108296.tif 000005
【図４】
2011108296.tif 000006
【図５】
2011108296.tif 000007